(57)【要約】【課題】分割されているケース部分を互いに締結する際に、簡単な構造によって互いのケース部分を十分に電気的に導通可能にする。【解決手段】フロントケース１とリアケース２とを互いに重ね合わせ、それらにボルト１０を挿通させ、ボルト１０の先端にナット１１を螺合させて締結するケースの締結構造において、前記ボルト１０の頭部の座面および前記ナット１１の座面に突起１２，１３をそれぞれ配設し、前記ナット１１を締め付けることで、前記突起１２，１３をぞれぞれフロントケース１とリアケース２に食い込ませ、ボルト１０とナット１１を介して電気的導通をとるようにしている。【選択図】　　　　　図２
2004022938.tif 000002
【特許請求の範囲】
【請求項１】
ケース部分を互いに重ね合わせ、それらにボルトを挿通させ、該ボルトの先端にナットを螺合させて締結するケースの締結構造において、
前記ボルトの頭部の座面および前記ナットの座面に突起をそれぞれ配設し、前記ナットを締め付けた状態で、前記それぞれの突起を前記ぞれぞれのケース部分に食い込ませるようにしたことを特徴とするケースの締結構造。
【請求項２】
ケース部分を互いに重ね合わせ、座金を介してそれらにボルトを挿通させ、該ボルトの先端にナットを螺合させて締結するケースの締結構造において、
前記座金の座面および前記ナットの座面に突起をそれぞれ配設し、前記ナットを締め付けた状態で、前記それぞれの突起を前記ぞれぞれのケース部分に食い込ませるようにしたことを特徴とするケースの締結構造。
【請求項３】
インナーケースをさらに備え、該インナーケースにボルト挿通孔を形成し、かつ該孔の前記インナーケース内面側の開口に前記ナットを保持させるとともに、該ナットの突起を前記インナーケースの外面側に突出させたことを特徴とする請求項１または２に記載のケースの締結構造。
【発明の詳細な説明】
【０００１】
【発明の属する技術分野】
本発明はケースの締結構造に係り、特に金属製ケース部分をボルト・ナットで互いに締結するケースの締結構造に関する。
【０００２】
【従来の技術】
デジタルカメラ等のケースは、前部を形成するフロントケース部分と、後部を形成するリヤケース部分とによって構成され、それらを側縁分を互いに重ね合わせてねじによって締結している。
【０００３】
近年のデジタルカメラやデジタルＶＣＲ等は、軽量化を図るために、外装をアルミ材で作成し、かつできる限り薄くしている。そのため、ケース部分同士を重ね合わせて締結する場合に、ケース部分にタップを立てることができず、ボルト・ナットによって両ケース部分を締結している。
【０００４】
【発明が解決しようとする課題】
ところで、デジタルカメラ，　デジタルＶＣＲ等では、静電気対策，　ＥＭＩ等の電磁規制からケース部分を互いに電気的に導通させる必要がある。
【０００５】
しかしながら、ケース部分をアルミ材で作成した場合には、表面をアルマイト処理して酸化防止を図っているため、単にボルト・ナットによる締結では、両者を十分に電気的に導通させることはできない。
【０００６】
本発明はこのような事情に鑑みてなされたもので、簡単な構造によって互いのケース部分を十分に電気的に導通させることができるケースの締結構造を提供することを目的とする。
【０００７】
【課題を解決するための手段】
前記目的を達成するために請求項１に係るケースの締結構造は、ケース部分を互いに重ね合わせ、それらにボルトを挿通させ、該ボルトの先端にナットを螺合させて締結するケースの締結構造において、前記ボルトの頭部の座面および前記ナットの座面に突起をそれぞれ配設し、前記ナットを締め付けた状態で、前記それぞれの突起を前記ぞれぞれのケース部分に食い込ませるようにしたことを特徴としている。
【０００８】
この発明によれば、ボルトおよびナットの突起がそれぞれのケース部分に施されている非導電層を突き破って導電基材に達し、それぞれのケース部分がボルトとナットを介して互いに電気的に導通される。
【０００９】
請求項２に係るケースの締結構造は、ケース部分を互いに重ね合わせ、座金を介してそれらにボルトを挿通させ、該ボルトの先端にナットを螺合させて締結するケースの締結構造において、前記座金の座面および前記ナットの座面に突起をそれぞれ配設し、前記ナットを締め付けた状態で、前記それぞれの突起を前記ぞれぞれのケース部分に食い込ませるようにしたことを特徴としている。
【００１０】
この発明によれば、座金およびナットの突起がそれぞれのケース部分に施されている非導電層を突き破って導電基材に達し、それぞれのケース部分が座金，　ボルトおよびナットを介して互いに電気的に導通される。
【００１１】
請求項３に係るケースの締結構造は、上記発明において、インナーケースをさらに備え、該インナーケースにボルト挿通孔を形成し、かつ該孔の前記インナーケース内面側開口に前記ナットを保持させるとともに、該ナットの突起を前記インナーケースの外面側に突出させたことを特徴としている。
【００１２】
この発明によれば、例えば、外側ケースを構成するケース部分を締結する際に、両ケース部分を互いに電気的に導通させながら、インナーケースも共に締結することができる。
【００１３】
【発明の実施の形態】
図１は本発明に係るケースの締結構造を備えたデジタルカメラのケースを概念的に示した分解斜視図、図２はその締結構造のみを拡大して示した分解斜視図、図３は締結状態を示した断面図である。
【００１４】
このデジタルカメラは、レンズ等を備えたフロントケース１，　液晶モニタや操作ボタン等を備えたリアケース２，　制御機構等が収容されたインナーケース３等によって構成されている。
【００１５】
フロントケース１は後方が開口する箱状に形成され、アルミ材を基材として表面にアルマイト処理が施されている。そして、側壁１ａには締結用の孔４が形成されている。
【００１６】
また、リアケース２は前方が開口する箱状に形成され、アルミ材を基材として表面にアルマイト処理が施されている。このリアケース２は、開口周縁に段部を有しており、該段部の周壁２ａには締結用の孔５が形成されている。
【００１７】
また、インナーケース３は、前方または後方の少なくとも一方が開口する箱状に形成されている。そして、このインナーケース３の側壁３ａには、締結用の孔６が形成されている。そして、側壁３ａの内面における孔６の開口には、図２に示したように、６角形状の凹部７が形成され、該凹部の底面には適宜数の小孔８が形成されている。
【００１８】
一方、この締結構造では、ボルト１０およびナット１１を備えている。ボルト１０は座面に適宜数の突起１２が形成されている。また、ナット１１の座面にも上記インナーケース３の小孔８に対応する箇所に突起１３が形成されている。そして、それらの突起１２，１３は、いずれも先端が鋭利に形成されている。
【００１９】
そして、このように形成されたフロントケース１，　リアケース２，　インナーケース３は、以下のようにして互いに組み付けられる。
【００２０】
先ず、インナーケース３の小孔８にナット１１の突起１３を挿入してナット１１をインナーケース３の孔６に嵌着させる。次いで、インナーケース３をリアケース２内に位置決めさせた状態で、フロントケース１の開口をリアケース２の周壁２ａに被せる。すると、フロントケース１の孔４，　リアケース２の孔５およびインナーケース３の孔６が互いに合致する。そこで、ボルト１０の先端をそれらの孔４，５，６に挿通させ、その先端をナット１１に螺合させ、ボルト１０を締め付ける。
【００２１】
すると、リアケース２の周壁２ａの内面はナット１１の突起１３に当たり、さらにリアケース２が押し付けられるにしたがって、突起１３がリアケース２のアルマイト表面を突き破って周壁２ａ内部に突き刺さる。また、ボルト１０の突起１２もフロントケース１の側壁１ａの外表面に突き当たり、該突起１２もフロントケース１の側壁１ａのアルマイト表面を突き破って側壁１ａ内部に突き刺さる。
【００２２】
したがって、この状態においては、フロントケース１の基材であるアルミ材が、突起１２，　ボルト１０，　ナット１１，　突起１３を介してリアケース２の基材であるアルミ材に電気的に導通される。
【００２３】
図４および図５は本発明に係るケースの締結構造であって、他の実施の形態を示したものであり、図４はその締結構造のみを拡大して示した分解斜視図、図５は締結状態を示した断面図である。
【００２４】
この締結構造では、上記実施の形態に導電性材料によって形成された座金１４を付加し、該座金の座面に、上記実施の形態でボルト１０の座面に形成している突起１２に相当する突起１５を形成している。なお、他の要素は上記実施の形態の要素と同じであるので、同一符号を付して、その要素の説明は省略する。
【００２５】
そして、この実施の形態でも、インナーケース３の小孔８にナット１１の突起１３を挿入してナット１１をインナーケース３の孔６に嵌着させ、次いで、インナーケース３をリアケース２内に位置決めさせた状態で、フロントケース１の開口をリアケース２の周壁２ａに被せ、座金１４に挿通させたボルト１０の先端を、それらの孔４，５，６に挿通させ、その先端をナット１１に螺合させ、ボルト１０を締め付ける。
【００２６】
すると、リアケース２の周壁２ａの内面はナット１１の突起１３に当たり、さらにリアケース２が押し付けられるにしたがって、突起１３がリアケース２のアルマイト表面を突き破って周壁２ａ内部に突き刺さる。また、座金１４の突起１５もフロントケース１の側壁１ａの外表面に突き当たり、該突起１５もフロントケース１の側壁１ａのアルマイト表面を突き破って側壁１ａ内部に突き刺さる。
【００２７】
したがって、この状態においては、フロントケース１の基材であるアルミ材が、突起１５，　座金１４，　ボルト１０，　ナット１１，　突起１３を介してリアケース２の基材であるアルミ材に電気的に導通される。
【００２８】
なお、上記実施の形態では、フロントケース１とリアケース２を、アルミ材を基材として表面にアルマイト処理を施したものとしているが、それらの材料は、上記実施の形態に限定されない。本発明は、例えば、導電性をもった基材に塗料等を塗布したものにも適用できる。また、インナーケース３の材料は、導電性を有するものでも勿論よいが、合成樹脂等の非導電性のものであってもよい。
【００２９】
また、上記実施の形態では、インナーケース３にナット１１を保持させ、該インナーケース３，　リアケース２，　フロントケース１をボルト１０で共に締結しているが、リアケース２にナット１１を保持させ、該リアケース２とフロントケース１とをボルト１０によって締結してもよい。
【００３０】
なお、上記実施の形態では、本発明の締結構造をデジタルカメラに適用した例を示したが、本発明のケースの締結構造は、デジタルカメラばかりでなく、デジタルＶＣＲ、その他の機器においてケース間を電気的に導通させたい場合に適用できる。
【００３１】
【発明の効果】
以上説明したように本発明によれば、ボルトおよびナットの突起がそれぞれのケース部分に施されている非導電層を突き破って導電基材に達し、それぞれのケース部分がボルトとナットを介して互いに電気的に導通される。
【００３２】
したがって、ケース全体の電位をあわせることができるため、静電気放電（ＥＳＤ）の２次放電を防ぐことができ、また不要輻射妨害（ＥＭＩ）についても、迷走電流を抑えることができる。また、ケース全体を有効なグランドプレーンとして使用することができるため、例えば、欧州の電磁妨害規制に対しても有効である。
【図面の簡単な説明】
【図１】本発明に係るケースの締結構造を備えたデジタルカメラのケースを概念的に示した分解斜視図である。
【図２】本発明に係るケースの締結構造のみを拡大して示した分解斜視図である。
【図３】図２の締結状態を示した断面図である。
【図４】本発明に係るケースの締結構造の他の実施の形態を示したもので、締結構造のみを拡大して示した分解斜視図である。
【図５】図４の締結状態を示した断面図である。
【符号の説明】
１…フロントケース、２…リアケース、３…インナーケース、４，５，６…孔、７…凹部、８…小孔、１０…ボルト、１１…ナット、１２，１３…突起、１４…座金、１５…突起
【図１】
2004022938.tif 000003
【図２】
2004022938.tif 000004
【図３】
2004022938.tif 000005
【図４】
2004022938.tif 000006
【図５】
2004022938.tif 000007